(57)【要約】      （修正有）【課題】すでにほかの人が予約したり歌ったりした曲を後で知らずに歌ってしまうことを未然に防ぐカラオケシステムを提供する。【解決手段】ユーザが所有するスマートフォン等をリモコン端末装置として使用し、カラオケ装置と、カラオケ装置を操作する任意数の１人１台、あるいは１台で複数ユーザのアカウントを持つことができるリモコン端末装置とを接続し、利用単位を特定するセッションで対応付けるカラオケシステムであって、予約曲が指定された際、すでに歌われていたり予約されていた場合、該当する利用者のログイン画面１０にその旨を通知する。【選択図】図２
2014219458.tif 000002
【特許請求の範囲】
【請求項１】
１台で複数アカウントを持つことのできるリモコン端末装置／アプリを使用し、カラオケ装置と、カラオケ装置を操作する任意数の１アカウント１台、あるいは複数アカウントで１台のリモコン端末装置とを接続し、利用単位を特定するセッションで対応付け、同一セッション内で複数人の利用者が１人１アカウントを持つことができるカラオケシステムであって、
前記カラオケ装置の利用単位を特定するセッションＩＤを更新・発行する切替指示受付手段、
当該カラオケ装置を特定するためのカラオケ装置ＩＤと当該カラオケ装置におけるその時点で有効なセッションＩＤを含むカラオケ識別情報をリモコン端末装置に伝える伝達手段、
前記リモコン端末装置から、前記識別情報に基づき、指定する前記カラオケ装置に向けて送信される前記カラオケ識別情報と当該リモコンＩＤとを含むリモコン識別情報を受信するリモコン信号受信手段、
歌唱予約のための選曲入力手段、
予約曲目一覧の表示を行う表示手段、
当該リモコン信号受信手段によって受信したリモコン識別情報に基づいて、当該カラオケ装置と前記リモコン端末装置の対応付けを制御する制御手段とを有し、
前記制御手段は、前記リモコン信号受信手段で受信した前記リモコン識別情報に基づき、特定された前記リモコン端末装置と前記カラオケ装置との接続許可を確立し、許可確立時のセッションＩＤが有効な間、接続許可を維持することを特徴とするカラオケシステムであって、
アカウントによる楽曲の演奏予約の際、曲目指定時に、当該楽曲がすでに同一セッション内で他のアカウントによって予約されたものである場合、当該楽曲の予約をしようとしているアカウントにその旨を通知することを特徴とするカラオケシステム。
【請求項２】
上記カラオケシステムは、アカウントによる楽曲の演奏予約後、同じ曲があらたに別のアカウントによって予約された場合、先に予約したアカウントにその旨を通知する請求項１記載のカラオケシステム。
【請求項３】
上記カラオケシステムは、予約順を維持して曲目の変更が可能な選曲変更手段をもつ、請求項１記載のカラオケシステム。
【発明の詳細な説明】
【技術分野】
【０００１】
本発明は、利用者の予約した楽曲を順次演奏する重複選曲告知機能を備えるカラオケシステムに関する。
【背景技術】
【０００２】
近年、カラオケシステムでの歌唱は、楽曲を予約登録させて予約順に演奏が行われるのが一般的であり、この種のカラオケ装置においては、歌唱者が任意に選曲したカラオケ楽曲を複数曲予約登録し、その予約登録の順序に従って、カラオケ楽曲を演奏するように構成されたカラオケ装置は周知である。
【０００３】
上記のカラオケ装置では、歌唱者が所望のカラオケ楽曲を選曲した場合、既に予約登録されたカラオケ楽曲中に選曲されたカラオケ楽曲と同一の楽曲が存在しても、重複して登録することが可能である。
【０００４】
しかし、他人と同席した場合には、選曲に際して他人の歌唱した楽曲を避けることが望ましい。
【０００５】
そこで本発明は、上記の問題点を解決する為に歌唱者が選曲したカラオケ楽曲と同一の楽曲が予約登録されたカラオケ楽曲中に存在する場合、その選曲されたカラオケ楽曲を重複していることを歌唱者に通知し、さらに楽曲の変更手段を提供することを目的とする。
また、同じ楽曲を予約するケースでは、先の予約者が一般社員や接待する側で、後の予約者が上司や得意客である場合も考慮し、上記楽曲変更は後の予約登録者のみならず、先の予約者が予約した楽曲を変更したり中止したりすることも可能とする。
【先行技術文献】
【特許文献】
【０００６】
【特許文献１】特開平１０−６９２８６号公報
【特許文献２】特開平８−２７２３８４号公報
【特許文献３】特許５１１６４５３号公報
【発明の概要】
【発明が解決しようとする課題】
【０００７】
特許文献１は、歌い手が選曲したカラオケ楽曲と同一の楽曲が予約登録されたカラオケ楽曲中に存在する場合、所定の条件を満足すれば、その選曲されたカラオケ楽曲を重複して登録することが無いカラオケ装置であり、予約曲の重複を通知するのみである。
【０００８】
特許文献２は、予約曲を入力した時点で、同一の曲が既に予約されているといった警告を表示することにより、曲を選択入力した時ただちに、使用者に重複予約を知らせる事が出来るというものであり、こちらも予約リストの曲のみをチェックしている。
【０００９】
特許文献３は、予約待ち行列に登録され、若しくは演奏履歴リストに記憶され、かつ、当該登録若しくは記憶された楽曲の選曲者がシステム利用状態においてログインである場合に重複している旨の告知を行うというものであり、予約リストだけでなく履歴にまでさかのぼって重複を確認しているが、その対象になるのは、当該曲の歌唱者がログインしている場合のみとしている。
【００１０】
本発明においては、特許文献１、２とは異なり、予約リストだけをチェックするのではなく、履歴までさかのぼり、また、歌唱者のみならず、歌唱者の所属している「セッション」への全参加者の歌唱予約リストと履歴リストまで考慮に入れている点で特許文献３とも異なる。また、さらに重複した場合、変更の手段まで設けた。
【課題を解決するための手段】
【００１１】
本発明の請求項１では、カラオケ装置と、カラオケ装置を操作する任意数の１アカウント１台、あるいは複数アカウントで１台のリモコン端末装置とを接続し、利用単位を「セッション」で対応付け、同一セッション内で（特定の会員等への登録が不要な）複数人の利用者が１人１アカウントを持つことができるカラオケシステムであって、
利用単位を特定するセッションＩＤを「リセット」することにより更新・発行できる切替受付手段、
当該カラオケ装置を特定するためのカラオケ装置ＩＤと当該カラオケ装置におけるその時点で有効なセッションＩＤを含むカラオケ識別情報をリモコン端末装置に伝える伝達手段、
前記リモコン端末装置から、前記識別情報に基づき、指定する前記カラオケ装置に向けて送信される前記カラオケ識別情報と当該リモコンＩＤとを含むリモコン識別情報を受信するリモコン信号受信手段、
歌唱予約のための選曲入力手段、
予約曲目一覧の表示を行う表示手段、
当該リモコン信号受信手段によって受信したリモコン識別情報に基づいて、当該カラオケ装置と前記リモコン端末装置の対応付けを制御する制御手段とを有し、
前記制御手段は、前記リモコン信号受信手段で受信した前記リモコン識別情報に基づき、特定された前記リモコン端末装置と前記カラオケ装置との接続許可を確立し、許可確立時のセッションＩＤが有効な間、接続許可を維持することを特徴とするカラオケシステムであって、
リモコン端末装置による楽曲の演奏予約の際、曲目指定時に、当該楽曲がすでに同一セッション内で他のアカウントによって予約されたものである場合、当該楽曲の予約をしようとしているアカウントにその旨を通知するようにしたものである。
【００１２】
請求項２では、上記カラオケシステムにおいて、リモコン端末装置による楽曲の演奏予約後、同じ曲があらたに別のアカウントによって予約された場合、先に予約したアカウントにその旨を通知するようにしたというものである。
【００１３】
請求項３では、上記カラオケシステムにおいて、請求項１や請求項２において他のアカウントによる同じ曲の予約が通知された場合、予約順を維持して曲目の変更が可能な選曲変更手段をもつようにしたものである。
【発明の効果】
【００１４】
本発明によれば、予約リストだけをチェックするのではなく、履歴までさかのぼり、また、歌唱者のみならず、同一セッション内の全参加者の予約履歴をチェックし、同じ曲が他の歌唱者によって歌唱されたまたは予約されている場合に、予約者にその旨を通知し、さらにそれを知った予約者が曲目を変更することができる。
【図面の簡単な説明】
【００１５】
【図１】本発明の一実施例によるネットワーク接続を示す説明図。
【図２】本発明の一実施例による曲目重複時のリモコン端末装置表示イメージ。
【図３】本発明の請求項３に係る一実施例による後の予約者による重複予約のリモコン端末装置表示イメージ。
【発明を実施するための形態】
【００１６】
以下に本発明の請求項１の実施例を示す。
図１において、カラオケ装置１と、リモコン端末装置２、３、４として使用する利用者５、７、８のスマートフォンがペアリングされている。リモコン端末装置２、３、４は、１人１リモコンや、１リモコンで複数のユーザがログインできる。図１の例では、リモコン端末装置２には利用者５、６が、リモコン端末装置３には利用者７が、リモコン端末装置４には利用者８、９がログインしている。
利用者はそれぞれが自分のＩＤでログインしているため、それぞれ自分にカスタマイズされたリモコン画面を見ている。
【００１７】
いま、Ｚさんが選曲予約したとき、同じ曲がすでに予約されていた場合、Ｚさんのリモコン画面は図２の１０のような表示となる。
ちなみに、このときセッションに参加している利用者がリモコン端末装置で予約リストを表示させた場合、図２の１１のような表示となる。
【００１８】
請求項３の実施例では、ＺさんがＤさんと同じ曲を後から予約してしまった場合である。先の予約者であるＤさんのリモコン画面は図３の１２のような表示となる。
【符号の説明】
【００１９】
１…カラオケ装置
２、３、４…リモコン端末装置
５、６、７、８、９…利用者
１０…Ｚさんのリモコン
１１…予約リストが表示されたリモコン
１２…Ｄさんのリモコン
【図１】
2014219458.tif 000003
【図２】
2014219458.tif 000004
【図３】
2014219458.tif 000005